(57)【特許請求の範囲】
【請求項１】
データを送信する送信手段と、
前記送信手段でデータを送信する際のパラメータを設定するパラメータ設定手段と、
前記パラメータ設定手段で設定したパラメータを変更する変更手段と、
前記送信手段によるデータ送信中か否かに拘わらず前記変更手段でパラメータを変更するための変更処理モードを設定するモード設定手段と、
前記モード設定手段で変更処理モードが設定されている場合は前記変更手段でパラメータを変更すべきデータでかつ、前記送信手段による送信が開始されていないデータの送信の開始を禁止するよう制御する制御手段と
を有することを特徴とするデータ通信装置。
【請求項２】
前記パラメータは前記送信手段で送信する送信先の電話番号を含むことを特徴とする請求項１に記載のデータ通信装置。
【請求項３】
前記変更手段はメモリに格納されたデータに関するパラメータを変更することを特徴とする請求項１または２に記載のデータ通信装置。
【発明の詳細な説明】
【０００１】
【発明の属する技術分野】
本発明はデータの送信を行うデータ通信装置に関するものである。
【０００２】
【従来の技術】
従来より、この種の装置、例えばファクシミリ装置において、原稿画像を読み取ることにより得られた画像データをメモリに蓄積しておくことによりメモリの容量が許す限り複数通信分の通信予約が可能なものが知られている。このとき相手先の電話番号等通信に必要なパラメータも同時に記憶させておくものである。
【０００３】
【発明が解決しようとする課題】
しかしながら、従来では一旦通信予約したものについてパラメータを変更しようとした場合であっても、送信準備ができていれば送信処理を開始してしまい、誤った送信が行われないようにオペレータにより送信の中止等の作業を行わなければいけないといった問題があった。
【０００４】
本発明は上述の問題点に鑑みてなされたものでデータを送信する際に誤った送信の防止を適確に行うことができるデータ通信装置を提供することを目的とする。
【０００５】
【課題を解決するための手段】
即ち、データを送信する送信手段と、前記送信手段でデータを送信する際のパラメータを設定するパラメータ設定手段と、前記パラメータ設定手段で設定したパラメータを変更する変更手段と、前記送信手段によるデータ送信中か否かに拘わらず前記変更手段でパラメータを変更するための変更処理モードを設定するモード設定手段と、前記モード設定手段で変更処理モードが設定されている場合は前記変更手段でパラメータを変更すべきデータでかつ、前記送信手段による送信が開始されていないデータの送信の開始を禁止するよう制御する制御手段とを有する。
【０００６】
即ち、データを送信する送信手段と、前記送信手段でデータを送信する際のパラメータを設定するパラメータ設定手段と、前記パラメータ設定手段で設定したパラメータを変更する変更手段と、前記変更手段でパラメータを変更するための変更処理モードを設定するモード設定手段とを有し、前記送信手段は前記モード設定手段で変更処理モードが設定されている場合は前記変更手段でパラメータを変更すべきデータの送信を開始しないことを特徴とする。
【０００７】
【発明の実施の形態】
以下、図面を参照して本発明の実施の形態の一例を詳細に説明する。
【０００８】
図１は、本発明の実施形態例のファクシミリ装置の概略構成を示したブロック図である。
【０００９】
１−１は読取部であり、原稿画像を読み取る。
【００１０】
１−２は画像記憶部であり、読取部１−１で読み取った画像データや回線１−８を介して受信した画像データ等を記憶する。
【００１１】
１−３は符号化／復号化部であり、原稿画像を送信する際に、読取部１−１で読み取った画像データをＭＨ，ＭＲ，ＭＭＲ等の方式で符号化したり、回線１−８を介して受信した符号化画像データを復号化する。
【００１２】
１−４は記録部であり、入力された画像データを記録紙上に可視出力する。
【００１３】
１−５は操作部であり、オペレータにより送信操作，登録操作等の様々な操作を行うためのものである。操作部１−５には各種ボタン，タッチパネル式の液晶ディスプレー，スピーカー等が設けられている。
【００１４】
１−６は中央処理部であり、次の各部からなる。１−６−１はＣＰＵであり、ファクシミリ装置の動作（図４，６〜８等）を制御するためのプログラムを実行する。１−６−２はＲＯＭであり、ＣＰＵ１−６−１がファクシミリ装置を制御するためのプログラムが記憶されている。１−６−３はＲＡＭであり、ＣＰＵ１−６−１が動作する際のワークエリア等として用いるものである。このＲＡＭ１−６−３は半導体ＲＡＭで構成されており、一部は宛先情報や登録情報を保持するためにバッテリーバックアップされている。１−６−４はタイマーであり、時間の計時を行ったり、カレンダーの管理等を行うＩＣである。
【００１５】
１−７は他のファクシミリ装置と通信を行うための回線制御部であり、次の各部からなる。１−７−１はＣＰＵであり、回線制御用のプログラムを実行する。１−７−２はＲＯＭであり、回線制御用のプログラムが記憶されている。１−７−３はＲＡＭであり、ＣＰＵ１−７−１が動作する際のワークエリア等として用いる半導体ＲＡＭである。１−７−４はタイマーであり、時間を計時するためのＩＣである。
【００１６】
１−８は回線制御部に接続される回線であり、相手装置と各種データのやりとりを行う。
【００１７】
１−９はシステムバスであり、各ユニット間を接続する。
【００１８】
１−１０は共有ＲＡＭであり、ＣＰＵ１−６−１，ＣＰＵ１−７−１の両方がアクセスでき、様々なデータを記憶することができる。
【００１９】
図２はＲＡＭ１−６−３内で管理される管理ブロックのフォーマットを示す図である。
【００２０】
図２において、２−１は管理情報であり、画像を特定するための管理番号，この画像の送信を開始する時刻（同報送信であれば各宛先毎の開始時刻），送信を受け付けた時刻（画像記憶部１−２に画像を記憶した時刻），通信モード，通信結果（送信待ち，送信中，リダイヤル待機等）等の情報が記憶される。
【００２１】
２−２は宛先情報であり、画像の送信先の電話番号（同報送信であれば各宛先の電話番号）、また、必要に応じてサブアドレスやユーザ略称等が記憶される。
【００２２】
２−３は文書情報であり、画像の読取モード，原稿サイズ，枚数，画像記憶部１−２への記憶位置を示すアドレス情報等が記憶される。
【００２３】
図３は操作部１−５に設けられたタッチパネル式の液晶ディスプレーの表示画面を示す図である。ここでは、宛先の変更を行う場合について説明する。
【００２４】
図３において、（ａ）は基本画面であり、待機状態ではこの画面になる。この画面のときに原稿のセット，読取モード（解像度，濃度，画質）の設定，操作部１−５のテンキーもしくはワンタッチキー、または短縮ダイヤルによる宛先入力を行うことにより、原稿画像を読取部１−１で読み取り、読み取った画像データを画像記憶部１−２に記憶する。
【００２５】
（ａ）の画面のときにファクシミリ状況キー３−１を押すと（ｂ）の画面に切り換わる。（ｂ）は画像記憶部１−２に記憶されている画像データ（ここでは１７件）のリスト（通信予約状況）を示す画面である。一度に５件分表示でき、上下キーによりスクロールさせることにより他の件を順次表示させていくことができる。このリストにおいて、左から受付時刻，宛先番号（ユーザ略称が登録されていればユーザ略称，同報の場合は同報である旨の表示と送信件数），受付番号，通信結果である。リスト中の所望の件にタッチすると表示が反転表示に切り換わる。ここで中止キー３−２を押下すると画像記憶部１−２からその画像データが削除され、リストからその件が消去される。また、１件分反転表示になっているときに詳細情報キー３−３を押すと（ｃ）のように選択した件についての詳細な情報が表示される。尚、（ｂ）のリスト表示は送信文書を選択した場合のものである。また、この画面のまま所定時間操作がなければ（ａ）の画面に戻る。
【００２６】
（ｃ）は（ｂ）のリスト中から選択した１件についての詳細な情報を示す表示画面である。この場合、受付番号１２４４の件を選んだ場合とする。ここで、再送信キー３−５を押すことにより直ちに送信を開始する。また、変更キー３−６を押すと（ｄ）のような画面に切り換わる。
【００２７】
（ｄ）は変更すべき項目を選択するための画面である。ここで宛先キー３−７を押すと（ｅ）のような画面に切り換わる。送信開始時刻を変更したい場合は送信開始時刻キーを押す。
【００２８】
（ｅ）は宛先に関する情報を変更する際に項目の選択及び変更の種類を選択するための画面である。ここで宛先の欄を押すとこの欄が反転表示に切り換わり、更に修正キー３−８を押すと（ｆ）のような画面に切り換わる。また、追加キーは宛先の追加、削除キーは宛先の削除の際（同報時）に用いる。略称（画像の上端部に付加される）を選択した場合は修正キー３−８を押して略称を新たに付けたり、修正したりする。
【００２９】
（ｆ）ではテンキー等を用いて宛先の電話番号の修正を行う。
【００３０】
以上（ｃ）〜（ｆ）のような表示になっている場合は宛先変更処理モードになっている場合であり、画像記憶部１−２に記憶されている（操作部１−５の表示画面に表示されている）送信待ちの画像データの送信は開始しない。
【００３１】
また、（ｆ）の画面において、ＯＫキー３−９を押すと（ａ）の画面に切り換わる。なお、各画面で戻るキーを押すと１つ前の画面に切り換わる。
【００３２】
次に、画像データを送信する際、原稿画像を読取部１−１で読み取ってから、この読み取った画像データを画像記憶部１−２に蓄積するまでの動作について説明する。
【００３３】
図４はこの動作の流れを示すフローチャートである。
【００３４】
まず、オペレーターは読取部１−１に送信すべき原稿をセットし、操作部１−５から読取モード（解像度，濃度など）の指定を行う。また、必要に応じ送信開始時刻の指定等も行う。そして、宛先の電話番号の指定を行う。
【００３５】
これにより、ＣＰＵ１−６−１はＲＡＭ１−６−３上に管理ブロックを確保し、管理情報，宛先情報を管理ブロックにセットし、記憶させる（Ｓ４−１）。
【００３６】
次に、ＣＰＵ１−６−１は読取部１−１，符号化／復号化部１−３を起動する。ここで指定された読取モードに従って原稿画像を読み取り、この読み取って得られた画像データはシステムバス１−９を介して符号化／復号化部１−３に入力される。そして、符号化された画像データは画像記憶部１−２に蓄積される（Ｓ４−２）。
【００３７】
すべての原稿を読み取り、蓄積が終了すると（Ｓ４−３）、蓄積された画像データに関する文書情報（読取モード，原稿サイズ，画像記憶部１−２上のアドレスなど）を管理ブロックにセットし、記憶させる（Ｓ４−４）。
【００３８】
ＲＡＭ１−６−３内の管理ブロックを設定し終わると、この管理ブロックの記憶位置を示すアドレスをＲＡＭ１−６−３内に設けられた通信予約キューのエリアに記憶する。ここで通信予約キューが空か否か判断し（Ｓ４−５）、空であれば図５（ａ）のように通信予約キューの先頭にリンクし（Ｓ４−７）、空でなければ図５（ｂ）のように通信予約キューの最後にリンクする（Ｓ４−６）。
【００３９】
このように予約された通信は、後に送信されるが、図４のフローチャートで示される動作は通信動作に拘らず独立して実行される。従って、更に上記のように送信操作が行われれば通信予約キューに管理ブロックが次々とリンクされる。
【００４０】
ここで、図５（ａ）は通信予約キューが空である場合を示し、上記のように設定した管理テーブルの記憶位置を示すアドレスを通信予約キューの先頭を示す位置にセットする。一方、図５（ｂ）は通信予約キューに既に管理ブロック（１）及び管理ブロック（２）のアドレスがセットされている場合であり、上記のように設定した管理ブロックのアドレスはその次の位置にセットする。
【００４１】
次に、上記のように蓄積した画像データに関する情報の変更処理の流れを図６及び７に示すフローチャートに基づき説明する。
【００４２】
まず、Ｓ６−１では待機状態の基本画面である図３（ａ）のような表示において、ファクス状況キーが押下されたか否か判断し、押されたと判断するとＳ６−２に進み、画像記憶部１−２に記憶されている送信待ちの画像データについての送信禁止フラグをＯＮにして送信が開始されないようにする。そして、通信予約キューに管理ブロックのアドレスがセットされているか否か判断することにより管理ブロックの有無を識別する（Ｓ６−３）。ここで管理ブロックがあれば、管理ブロックに記憶されている情報を順次読み出し、図３（ｂ）のようにリスト表示する（Ｓ６−４）。また、管理ブロックがなければリストは表示されない。
【００４３】
次に、Ｓ６−５ではファクス状況キー押下後所定時間（例えば１分間）経過したか判断し、まだ経過していなければＳ６−６に進み、リスト中の１件を選択して、その詳細情報を表示させるよう指示があったか判断し、あれば図７のフローチャートへ移る。なければＳ６−７に進み、戻るキーが押下されたか否か判断し、戻るキーが押されるとＳ６−８に進み、送信禁止フラグをすべてＯＦＦにし送信開始の抑制を解除する。そして、Ｓ６−９で図３（ａ）の基本画面に戻す。
【００４４】
Ｓ６−６で図３（ｂ）の表示中にリスト中の１件を選択し、詳細情報キーが押下されるとＳ７−１に進み、選択した件の送信禁止フラグはＯＮのままでそれ以外の件の送信禁止フラグをＯＦＦにする。そして、Ｓ７−２では図３（ｃ）のように選択した件についての詳細情報を表示する。
【００４５】
次に、Ｓ７−３では表示した件について宛先や送信開始時刻等の修正，削除，追加といった変更処理を行うか否か判断し、図３（ｃ）の画面で変更キーを押すことにより変更処理を行う場合はＳ７−４に進み、例えば図３（ｄ）〜（ｆ）のように変更処理を行う。そして、Ｓ７−５で、図３（ｆ）の画面においてＯＫキーが押された場合等変更処理の終了を検出するとＳ７−６に進み、画像記憶部１−２に記憶されている送信待ちの画像データについての送信禁止フラグをＯＦＦにし、Ｓ７−７で図３（ａ）のような基本画面に戻す。
【００４６】
次に、画像記憶部１−２に蓄積された画像データを送信する際の動作の流れを図８に示すフローチャートを用いて説明する。
【００４７】
まず、Ｓ８−１では通信予約キューに管理ブロックがリンクされているか（アドレスが記憶されているか）チェックする。そして管理ブロックがあればＳ８−２で通信予約キューの先頭にセットされている管理ブロックに該当する画像データについての送信禁止フラグがＯＮになっているか否かをチェックする。ここで送信禁止フラグがＯＦＦであればＳ８−３に進み、この画像データの管理ブロックを図９（ａ）のようにＲＡＭ１−６−３に設けられた発呼キューにリンクする（管理ブロックのアドレスをセットし、記憶させる）。一方、送信禁止フラグがＯＮであればＳ８−４に進み、他の送信待ち（画像記憶部１−２に記憶されている）画像データについての送信禁止フラグをチェックし、ＯＦＦであればＳ８−５に進み、送信禁止フラグがＯＮになっている先頭の管理ブロックを通信予約キューの最後にリンクしなおす。そして、Ｓ８−６では図９（ｂ）のように通信予約キューで次にセットされていた管理ブロックを発呼キューにリンクする。また、Ｓ８−４で全ての送信用画像データについて送信禁止フラグがＯＮであると判断すれば、画像データの送信ができない状態なのでＳ８−１に戻り処理を繰り返す。
【００４８】
次に、Ｓ８−７では公知のファクシミリ標準伝送手順により発呼キューにセットされている管理データに基づき画像データの送信を行う。送信が正常に終了するとＳ８−８に進み、発呼キューから送信済みの画像データについての管理ブロックのアドレスを消去する。そして、Ｓ８−９でＲＡＭ１−６−３の送信済みの画像データについての管理ブロックを初期化し、当該画像データを画像記憶部１−２から消去する。以下、上述の処理を繰り返す。
【００４９】
以上述べた様に本実施形態によれば、オペレータの操作により通信予約状況を操作部１−５に表示させ、適宜確認することができるとともに、通信予約のキャンセルや変更を行おうとしている（行う可能性がある）、またはキャンセルや変更の処理中の件について送信開始を抑制することができる。
【００５０】
また、上記変更処理をタッチパネル方式により順次表示を切り換えて行うようにしたので処理が容易であり、また、他の用途の表示と兼用した表示器とすることができる。
【００５１】
なお、以上説明した動作の流れ（図４，６〜８のフローチャート）はＲＯＭ１−６−２に格納されたプログラムに基づきＣＰＵ１−６−１が制御するものであるが、このＲＯＭ１−６−２に格納されたプログラムはフロッピーディスク等の着脱可能な記憶媒体に格納して他の装置でも利用可能となるようにしてもよい。
【００５２】
【発明の効果】
以上説明したように本発明によれば、変更処理モードが設定されている場合はパラメータを変更すべきデータの送信を開始しないようにしたので誤った送信が行われることを防止できる。
【図面の簡単な説明】
【図１】本発明の実施形態例であるファクシミリ装置の構成を示すブロック図である。
【図２】管理ブロックのフォーマットを示す図である。
【図３】操作部１−５に設けられた表示部の表示画面を示す図である。
【図４】読み取った画像データを画像記憶部１−２に蓄積する際の動作の流れを示すフローチャートである。
【図５】通信予約キューへのキューイングを示す図である。
【図６】蓄積した画像データに関する情報の変更処理に係る処理の流れを示すフローチャートである。
【図７】蓄積した画像データに関する情報の変更処理に係る処理の流れを示すフローチャートである。
【図８】蓄積された画像データを送信する際の処理の流れを示すフローチャートである。
【図９】通信予約キューにセットされているデータを発呼キューにセットする場合を示す図である。
【符号の説明】
１−１  読取部
１−２  画像記憶部
１−３  符号化／復号化部
１−４  記録部
１−５  操作部
１−６  中央処理部
１−７  回線制御部
１−８  回線
１−９  システムバス
１−１０  共有ＲＡＭ
【図１】
0003610134.tif 000002
【図２】
0003610134.tif 000003
【図３】
0003610134.tif 000004
【図４】
0003610134.tif 000005
【図５】
0003610134.tif 000006
【図６】
0003610134.tif 000007
【図７】
0003610134.tif 000008
【図８】
0003610134.tif 000009
【図９】
0003610134.tif 000010